(57)【要約】【課題】厚さ調整を可能としながらも、見栄え及び施工時における厚さ調整の作業性を向上し得る床見切材を提供する。【解決手段】第１床面３とこの第１床面よりも高い第２床面５との段差部２に沿うように前記第１床面上に配設される床見切材１であって、幅方向一方側部が前記段差部の段壁面６に対面するように配設される対面部１１とされ、幅方向一方側から幅方向他方側に向かうに従い下るように傾斜する傾斜上面１２を有した見切本体部１０と、略矩形薄平板状とされ前記見切本体部の底面１３の略全長に亘って幅方向一方側端部２３側が固定された厚さ調整部２０と、を備えており、前記厚さ調整部は、幅方向に複数に分割された分割片部２１を連結する連結部２２を折り畳み支点として積層状態に折り畳み可能とされている。【選択図】図１
2014095264.tif 000002
【特許請求の範囲】
【請求項１】
第１床面とこの第１床面よりも高い第２床面との段差部に沿うように前記第１床面上に配設される床見切材であって、
幅方向一方側部が前記段差部の段壁面に対面するように配設される対面部とされ、幅方向一方側から幅方向他方側に向かうに従い下るように傾斜する傾斜上面を有した見切本体部と、略矩形薄平板状とされ前記見切本体部の底面の略全長に亘って幅方向一方側端部側が固定された厚さ調整部と、を備えており、
前記厚さ調整部は、幅方向に複数に分割された分割片部を連結する連結部を折り畳み支点として積層状態に折り畳み可能とされていることを特徴とする床見切材。
【請求項２】
請求項１において、
前記厚さ調整部は、前記連結部を、幅方向に間隔を空けて複数設けた構造とされていることを特徴とする床見切材。
【請求項３】
請求項２において、
前記厚さ調整部は、最大限展開された状態における幅寸法が前記見切本体部の幅寸法よりも大きくなるように形成され、かつ前記複数の分割片部のそれぞれが分離可能とされて幅方向に分断可能とされていることを特徴とする床見切材。
【請求項４】
請求項１乃至３において、
前記厚さ調整部は、幅方向一方側端部が前記見切本体部の底面の幅方向一方側縁部に沿って固定されており、この厚さ調整部を積層し、当該床見切材を施工した状態で、前記見切本体部の幅方向他方側が前記第１床面に当接される構造とされていることを特徴とする床見切材。
【請求項５】
請求項４において、
前記厚さ調整部を最大限積層し、当該床見切材を施工した状態で、前記見切本体部の対面部と前記第１床面とのなす角度が略直角以上となるように、前記見切本体部の対面部と底面とのなす角度を鈍角としたことを特徴とする床見切材。
【発明の詳細な説明】
【技術分野】
【０００１】
本発明は、段差部に沿うように配設される床見切材に関する。
【背景技術】
【０００２】
従来より、リビング等と和室等との境界部等の床側に生じた段差を緩和するために、境界部に沿うように配設され、高い側の床面から低い側の床面側に向けて下るように傾斜するスロープ状の傾斜上面を有した見切材が知られている。このような見切材は、高い側の床面と該見切材とに段差が生じないように、高い側の床面と低い側の床面との床段差に応じた厚さ寸法とされた見切材を施工することが望まれる。このような場合には、種々の床段差に応じた種々の厚さ寸法とされた見切材を製造したり、施工現場において見切材を床段差に応じた厚さ寸法となるように、例えば、切削加工したりする必要が生じる場合があった。
例えば、下記特許文献１では、断面が略直角三角形とされ、一方側に傾斜する傾斜面を上面に有した段差プレートが提案されている。この段差プレートは、複数のスリットを、当該段差プレートの厚さ方向に間隔を空けて、かつそれぞれ傾斜面側に若干の非切断部を残すように水平方向に沿って設けた構造とされている。この段差プレートは、適宜のスリットを開いて非切断部を開裂等して段差プレートから底面側部位を切除することで、当該段差プレートの厚さ調整が可能とされている。
【先行技術文献】
【特許文献】
【０００３】
【特許文献１】特開２００２−８１１９１号公報
【発明の概要】
【発明が解決しようとする課題】
【０００４】
しかしながら、このような段差プレートでは、底面側部位を切除した非切断部の傾斜面側の破断部が、平滑になり難いようなことが考えられ、例えば、該破断部にささくれ等が生じることも考えられ、更なる改善が望まれていた。
【０００５】
本発明は、上記実情に鑑みてなされたものであり、厚さ調整を可能としながらも、見栄え及び施工時における厚さ調整の作業性を向上し得る床見切材を提供することを目的としている。
【課題を解決するための手段】
【０００６】
上記目的を達成するために、本発明に係る床見切材は、第１床面とこの第１床面よりも高い第２床面との段差部に沿うように前記第１床面上に配設される床見切材であって、幅方向一方側部が前記段差部の段壁面に対面するように配設される対面部とされ、幅方向一方側から幅方向他方側に向かうに従い下るように傾斜する傾斜上面を有した見切本体部と、略矩形薄平板状とされ前記見切本体部の底面の略全長に亘って幅方向一方側端部側が固定された厚さ調整部と、を備えており、前記厚さ調整部は、幅方向に複数に分割された分割片部を連結する連結部を折り畳み支点として積層状態に折り畳み可能とされていることを特徴とする。
【０００７】
本発明においては、前記厚さ調整部は、前記連結部を、幅方向に間隔を空けて複数設けた構造とされていてもよい。
また、本発明においては、前記厚さ調整部は、最大限展開された状態における幅寸法が前記見切本体部の幅寸法よりも大きくなるように形成され、かつ前記複数の分割片部のそれぞれが分離可能とされて幅方向に分断可能とされていてもよい。
また、本発明においては、前記厚さ調整部は、幅方向一方側端部が前記見切本体部の底面の幅方向一方側縁部に沿って固定されており、この厚さ調整部を積層し、当該床見切材を施工した状態で、前記見切本体部の幅方向他方側が前記第１床面に当接される構造とされていてもよい。
また、本発明においては、前記厚さ調整部を最大限積層し、当該床見切材を施工した状態で、前記見切本体部の対面部と前記第１床面とのなす角度が略直角以上となるように、前記見切本体部の対面部と底面とのなす角度を鈍角としてもよい。
【発明の効果】
【０００８】
本発明に係る床見切材は、上述のような構成としたことで、厚さ調整を可能としながらも、見栄え及び施工時における厚さ調整の作業性を向上させることができる。
【図面の簡単な説明】
【０００９】
【図１】（ａ）、（ｂ）は、いずれも本発明の一実施形態に係る床見切材の一例を模式的に示し、（ａ）は、概略側面図、（ｂ）は、概略斜視図である。
【図２】（ａ）〜（ｅ）は、同床見切材を施工した状態の一例及び同床見切材を用いた床段差納め構造の一例をそれぞれ模式的に示す概略側面図である。
【図３】（ａ）は、同床見切材の施工手順の一例を模式的に示す一部破断概略斜視図、（ｂ）は、同床見切材を施工した状態を模式的に示す一部破断概略斜視図である。
【発明を実施するための形態】
【００１０】
以下に本発明の実施の形態について、図面に基づいて説明する。
なお、以下の実施形態では、床見切材を施工した状態を基準として、上下方向等の方向を原則的に説明する。
図１〜図３は、本実施形態に係る床見切材の一例を模式的に示す図である。
本実施形態に係る床見切材１は、図２及び図３に示すように、第１床面３とこの第１床面３よりも高い第２床面５との段差部２に沿うように第１床面３上に配設される。
【００１１】
このような段差部２は、例えば、互いに厚さ寸法の異なる床材が床下地上に配設されて形成されたものとしてもよい。例えば、段差部２は、図２及び図３に示すように、第１床材の上面の第１床面３と第２床材４の上面の第２床面５とによって形成されたものとしてもよい。
第１床面３を構成する第１床材としては、例えば、無垢木材からなる床材や木質系材料等からなる平板状部材を積層した積層床材（積層フローリング）等からなる床材等としてもよく、または、タイルやカーペット等としてもよい。
また、第２床面５を構成する第２床材４としては、第１床材よりも厚さ寸法の大きい床材としてもよく、例えば、畳体等としてもよい。なお、段差部２としては、互いに厚さ寸法の異なる床材が床下地上に配設されて形成されたものに限られず、例えば、リフォーム等によって、既設の第１床材の第１床面３上の一部に、リフォーム用の床材（第２床材）が施工されて形成されたものとしてもよい。
【００１２】
また、図例では、第１床面３上の空間と第２床面５上の空間とを区画する壁体を設け、この壁体に設けられた開口部の両側端部に設けられた両縦枠７，７間に、床見切材１を施工した例を示している（図３参照）。つまり、第１床面３上の空間と第２床面５上の空間との出入口の床側に床見切材１を施工した例を示している。
なお、床見切材１の施工態様としては、図例のような態様に限られない。例えば、第２床材４を畳体とし、室内空間の一部に畳コーナーを形成するように第２床材４が配設されているような場合には、該畳コーナーの外周側に形成された段差部に沿って床見切材１を施工するようにしてもよい。その他、住居等の建物内の床側に生じた種々の段差部２に沿わせるように本実施形態に係る床見切材１の施工が可能である。
【００１３】
床見切材１は、長尺状体とされている。この床見切材１は、図１及び図２に示すように、幅方向一方側部が段差部２の段壁面（第２床材４の第１床面３上に露出する側端面）６に対面するように配設される対面部１１とされ、幅方向一方側から幅方向他方側に向かうに従い下るように傾斜する傾斜上面１２を有した見切本体部１０を備えている。また、この床見切材１は、略矩形薄平板状とされ見切本体部１０の底面１３の略全長に亘って幅方向一方側端部２３側が固定された厚さ調整部２０を備えている。この厚さ調整部２０は、図１に示すように、幅方向に複数に分割された分割片部２１を連結する連結部２２を折り畳み支点として積層状態に折り畳み可能とされている。
【００１４】
見切本体部１０は、図１（ｂ）及び図３に示すように、長尺状体とされている。この見切本体部１０は、その対面部１１、傾斜上面１２及び底面１３がそれぞれ略平坦面状とされており、長手方向に見て略三角形状とされている。
また、見切本体部１０は、その対面部１１の短手方向に沿う寸法（見切本体部１０の概ね厚さ方向（上下方向）に沿う寸法）が、底面１３の短手方向に沿う寸法（見切本体部１０の概ね幅方向に沿う寸法）よりも小さく形成されている。
また、本実施形態では、当該床見切材１を、図２（ａ）に示すように、厚さ調整部２０を最大限積層し、当該床見切材１を施工した状態で、見切本体部１０の傾斜上面１２と第１床面３とのなす角度（第１床面傾斜上面間角度、見切本体部１０の傾斜上面１２を第１床面３側に延長させた仮想面と第１床面３とによってなす対面部１１と対角状となる角度）が略４５度未満となる構成としている。第１床面傾斜上面間角度がこのような角度となるように、後記する厚さ調整部２０の最大積層状態における厚さ等に応じて、見切本体部１０の対面部１１及び底面１３のそれぞれの短手方向に沿う寸法を設定するようにしてもよい。図例では、対面部１１の短手方向に沿う寸法を、底面１３の短手方向に沿う寸法の略１／３程度の寸法とした例を示しており、上記第１床面傾斜上面間角度を３０度程度とした例を示している。
【００１５】
また、見切本体部１０は、幅方向他方側の反対面部側端部１５の厚さ寸法を、幅方向一方側の対面部１１側端部の厚さ寸法よりも小さくし、その上面側に傾斜上面１２を設けた構成としている。
また、本実施形態では、傾斜上面１２の対面部１１側に、底面１３と略平行状とされた平上面部を更に設けている。この平上面部の短手方向に沿う寸法（見切本体部１０の概ね幅方向に沿う寸法）は、底面１３の短手方向に沿う寸法よりも十分に小さい寸法とされている。この平上面部の短手方向に沿う寸法は、例えば、数ｍｍ〜十数ｍｍ程度としてもよい。
また、本実施形態では、この平上面部と対面部１１との角部に面取り部を設けている。また、本実施形態では、傾斜上面１２と底面１３との角部となる反対面部側端部１５に、面取り部を設けている。図例では、これら面取り部をＲ面取り状（凸湾曲面形状）としている。
【００１６】
また、本実施形態では、図２（ａ）に示すように、厚さ調整部２０を最大限積層し、当該床見切材１を施工した状態で、見切本体部１０の対面部１１と第１床面３とのなす角度（第１床面対面部間角度、見切本体部１０の対面部１１を第１床面３側に延長させた仮想面と第１床面３とによってなす傾斜上面１２と対角状となる角度）Ａ１が略直角以上となるように、見切本体部１０の対面部１１と底面１３とのなす角度（底面対面部間角度）Ａを鈍角としている。本実施形態では、第１床面対面部間角度Ａ１を略直角とし、底面対面部間角度Ａを略１００度とした例を示している。この第１床面対面部間角度Ａ１は、余りにも大きければ、床見切材１を第１床面３上に安定的に配設し難くなる傾向があるため、例えば、９０度〜１２０度程度としてもよい。また、これら第１床面対面部間角度Ａ１及び底面対面部間角度Ａがこのような角度となるように、後記する厚さ調整部２０の厚さや積層態様等に応じて、上記した見切本体部１０の各面の寸法等を設定するようにしてもよい。
【００１７】
なお、この見切本体部１０は、木質系材料や合成樹脂系材料から形成されたものとしてもよい。また、見切本体部１０を、合成樹脂系材料に、木粉や無機フィラー、相溶化剤、着色剤などを所定の含有割合で含有させた木粉（木質）・プラスチック複合材（ＷＰＣ）からなるものとしてもよく、または、金属系材料からなるものとしてもよい。
また、見切本体部１０の幅寸法は、見栄えや施工性、取り扱い性等の観点から、例えば、１０ｍｍ〜８０ｍｍ程度としてもよい。
また、見切本体部１０の厚さ寸法は、当該床見切材１が施工される段差部２の大小等に応じて、適宜の厚さ寸法としてもよく、例えば、５ｍｍ〜４０ｍｍ程度の寸法としてもよい。
【００１８】
厚さ調整部２０は、展開された状態で、略矩形薄平板状とされており、見切本体部１０と同長さとされている。
本実施形態では、図１（ａ）に示すように、厚さ調整部２０に、複数の連結部２２を幅方向に間隔を空けて設けている。
また、本実施形態では、図１に示すように、厚さ調整部２０は、幅方向一方側端部２３を固定側端部２３とし、この固定側端部２３が見切本体部１０の底面１３の幅方向一方側縁部（対面部１１側縁部）１４に沿って固定されている。また、本実施形態では、床見切材１は、図２（ａ）〜（ｃ）に示すように、この厚さ調整部２０を積層し、当該床見切材１を施工した状態で、見切本体部１０の幅方向他方側の反対面部側端部１５が第１床面３に当接される構造としている。
【００１９】
また、本実施形態では、図１（ａ）及び図２に示すように、厚さ調整部２０を、最大限展開された状態における幅寸法が見切本体部１０の幅寸法よりも大きくなるように形成している。また、厚さ調整部２０を、複数の分割片部２１のそれぞれを分離可能とし、幅方向に分断可能としている。また、本実施形態では、床見切材１は、このように分離可能とされた複数の分割片部２１のうちの１枚の分割片部２１のみを残し、当該床見切材１を施工した状態で、見切本体部１０の幅方向他方側の反対面部側端部１５が第１床面３に当接される構造としている。
また、本実施形態では、図２（ｅ）に示すように、厚さ調整部２０を見切本体部１０から除去可能としている。
【００２０】
本実施形態では、厚さ調整部２０に幅方向に間隔を空けて設けられた複数の連結部２２（図例では三つ）を介して、複数の分割片部２１（図例では四つ）を連結している。
なお、以下では、これら分割片部２１のそれぞれを特定して指す場合には、固定側端部２３側から先端側端部２４側に向けて順に、第１分割片部２１Ａ、第２分割片部２１Ｂ、第３分割片部２１Ｃ及び第４分割片部２１Ｄとして説明する場合がある。
本実施形態では、図１（ａ）に示すように、厚さ調整部２０を、その第１分割片部２１Ａの固定側端部２３側の端縁を見切本体部１０の底面１３の幅方向一方側縁部１４に沿って固定し、見切本体部１０に対して除去可能に固定した例を示している。
【００２１】
これら分割片部２１，２１，２１，２１は、図１（ｂ）及び図２（ａ）に示すように、つづら折り状に折り畳まれて積層状態とされる。つまり、これら分割片部２１，２１，２１，２１を最大限積層した状態では、固定側端部２３側の第１分割片部２１Ａの下側に、第２分割片部２１Ｂ、第３分割片部２１Ｃ及び第４分割片部２１Ｄがこの順に厚さ方向に互いに当接して積層された状態となる。
また、これら分割片部２１，２１，２１，２１は、積層状態に折り畳まれた状態で、見切本体部１０の対面部１１から幅方向外方側（段壁面６側）に突出しないように形成されている。本実施形態では、図１（ｂ）及び図２（ａ）に示すように、厚さ調整部２０を、積層状態に折り畳んだ状態で、各分割片部２１，２１，２１，２１の対面部１１側の端面が略同一平面状となり、かつ、これら端面と対面部１１とが略同一平面状となるように形成している。なお、このような態様に代えて、積層状態に折り畳んだ状態で、各分割片部２１，２１，２１，２１の対面部１１側の端面が、見切本体部１０の対面部１１よりも幅方向において反対面部側端部１５側に位置するような態様としてもよく、各分割片部２１，２１，２１，２１の対面部１１側の端面の幅方向における位置をそれぞれ異ならせるようにしてもよい。
【００２２】
また、本実施形態では、図１（ｂ）及び図２（ａ）に示すように、厚さ調整部２０を、少なくとも最大限積層した状態において、厚さ調整部２０の厚さ寸法が幅方向一方側から幅方向他方側に向かうに従い小さくなるような形状としている。本実施形態では、分割片部２１，２１，２１，２１のそれぞれを略同寸同形状としており、分割片部２１，２１，２１，２１のそれぞれを、厚さ調整部２０を最大限積層した状態において、幅方向一方側から幅方向他方側に向かうに従いそれぞれの厚さ寸法が小さくなるような形状としている。
本実施形態では、図１（ａ）に示すように、厚さ調整部２０を、最大限展開した状態で、第１分割片部２１Ａ及び第３分割片部２１Ｃを、それぞれ幅方向一方側から幅方向他方側に向かうに従い厚さ寸法が小さくなるように形成し、第２分割片部２１Ｂ及び第４分割片部２１Ｄを、それぞれ幅方向一方側から幅方向他方側に向かうに従い厚さ寸法が大きくなるように形成している。このような構成により、上記したように分割片部２１，２１，２１，２１をつづら折り状に折り畳んで積層した状態及び図２（ｄ）に示すように第１分割片部２１Ａのみを残した状態では、厚さ調整部２０の厚さ寸法が幅方向一方側から幅方向他方側に向かうに従い小さくなる。
【００２３】
また、図２（ａ）〜（ｄ）に示すように、厚さ調整部２０を積層した状態及び第１分割片部２１Ａのみを残した状態で当該床見切材１を施工した状態で、第１床面３に対面する分割片部２１の裏面が略全面に亘って第１床面３に当接するように、これら分割片部２１，２１，２１，２１を形成している。
このような構成とすることで、当該床見切材１と第１床面３との当接面積を効率的に大きくすることができ、当該床見切材１を第１床面３上に安定的に施工することができる。なお、このような態様に代えて、各分割片部２１，２１，２１，２１の厚さ寸法を、幅方向の全幅に亘って略同厚さ寸法としてもよい。
【００２４】
なお、各分割片部２１，２１，２１，２１の厚さ寸法は、各分割片部２１，２１，２１，２１の強度を確保する観点や、厚さ調整部２０によってなされる当該床見切材１の厚さ調整の各段階における厚さ寸法差を小さく（細かく）する観点等から適宜設定するようにしてもよく、例えば、略０．５ｍｍ〜３ｍｍ程度としてもよい。このように各分割片部２１，２１，２１，２１の厚さ寸法を比較的に小さくすることで、床見切材１の厚さ寸法を、効果的に微調整することができる。
【００２５】
また、各分割片部２１，２１，２１，２１の幅寸法は、厚さ調整部２０の見切本体部１０への固定態様や、厚さ調整部２０の厚さ調整態様等に応じて、また、当該床見切材１を第１床面３上に安定的に施工する観点等から適宜設定するようにしてもよい。例えば、各分割片部２１，２１，２１，２１の幅寸法を、見切本体部１０の底面１３の幅寸法の略１／６〜２／３程度の寸法としてもよい。図例では、各分割片部２１，２１，２１，２１の幅寸法を、それぞれ見切本体部１０の底面１３の幅寸法の略１／３程度の寸法とした例を示している。
また、厚さ調整部２０を最大限展開した状態における幅寸法は、上記した分割片部２１の幅寸法や、厚さ調整部２０によってなされる当該床見切材１の厚さ調整の所望する段階数に応じて必要となる分割片部の枚数等に応じて適宜、設定するようにしてもよい。
【００２６】
連結部２２，２２，２２は、本実施形態では、厚さ調整部２０の長手方向に沿って略全長に亘って設けられている。
また、本実施形態では、連結部２２，２２，２２を、可撓性を有する軟質系材料等からなる軟質部としている。これら連結部２２，２２，２２は、分割片部２１，２１，２１，２１を折り畳んで互いを厚さ方向に当接させて積層した状態で、破断しないように可撓性を有した軟質部とされている。
【００２７】
なお、このように、連結部２２，２２，２２を軟質部とした場合には、厚さ調整部２０を、各分割片部２１，２１，２１，２１を硬質系の合成樹脂系材料からなるものとし、これらと連結部２２，２２，２２とを異材質成形（二色成形）等によって一体的に形成したものとしてもよい。または、連結部２２，２２，２２を軟質部となる接着剤等の接合部とし、各分割片部２１，２１，２１，２１をこのような連結部２２，２２，２２によって接合し、連結した態様としてもよい。さらには、連結部２２，２２，２２を軟質系材料等からなる略棒状体とし、適宜の接着剤等によってこれらを各分割片部２１，２１，２１，２１に接合し、連結した態様としてもよい。
【００２８】
なお、連結部２２，２２，２２としては、上記のような軟質部に限られない。例えば、隣り合う分割片部２１，２１の厚さ方向一方側の面（表面または裏面）側にこれら分割片部２１，２１の連結部位に跨るように貼着された粘着テープ等としてもよい。この場合は、厚さ調整部２０の厚さ方向一方側の面（表面または裏面）側の略全面に粘着テープを貼着するようにしてもよい。さらには、連結部２２，２２，２２を、隣り合う分割片部２１，２１同士を連結する蝶番部材等としてもよい。また、このような連結部２２，２２，２２の構成や連結態様等によっては、各分割片部２１，２１，２１，２１を木質系材料や金属系材料等から形成されたものとしてもよい。
【００２９】
また、連結部２２，２２，２２に、分割片部２１，２１，２１，２１を分離し易くするための分断補助部を設けるようにしてもよい。このような分断補助部としては、連結部２２，２２，２２の厚さ方向（分割片部２１の厚さ方向に沿う方向）に貫通するように長手方向に沿って間隔を空けて設けられた細長状の複数のスリット状開口によって構成されるミシン目等としてもよい。
また、厚さ調整部２０は、上記したようにつづら折り状に折り畳まれる各分割片部２１，２１，２１，２１の折り畳み方向とは逆方向への折り畳みを規制するような構成とされたものとしてもよい。
また、この厚さ調整部２０を見切本体部１０に固定する態様としては、接着剤や粘着材、適宜の止具等によって固定するようにしてもよく、当該厚さ調整部２０を容易に見切本体部１０から除去可能なように固定するようにしてもよい。また、厚さ調整部２０の固定側端部２３を、上記のような種々の連結部と同様の連結部を介して見切本体部１０に固定するようにしてもよい。この場合は、厚さ調整部２０を見切本体部１０に一体的に形成したような態様としてもよい。
【００３０】
上記構成とされた床見切材１は、当該床見切材１が施工される段差部２の長さに応じて、適宜の長さ寸法となるように切断等の加工がなされるものとしてもよい。
また、上記構成とされた床見切材１は、図２に示すように、床見切材１が配設される段差部２の段差寸法（第１床面３と第２床面５との段差寸法）ｈ１，ｈ２，ｈ３，ｈ４，ｈ５に応じて、厚さ調整部２０によってその厚さ寸法の調整が可能とされている。この厚さ調整部２０による床見切材１の厚さ寸法の調整は、見切本体部１０の上縁部（平上面部）と第２床面５との段差が小さくなるように、厚さ調整部２０の分割片部２１の枚数を調整することで行うようにしてもよい。
図２（ａ）〜（ｅ）では、第１床面３と第２床面５との段差寸法ｈ１，ｈ２，ｈ３，ｈ４，ｈ５がそれぞれ異なる寸法とされた段差部２を例示している。図例では、図２（ａ）に示す段差部２の段差寸法ｈ１を最大とし、図２（ｂ）に示す段差部２の段差寸法ｈ２、図２（ｃ）に示す段差部２の段差寸法ｈ３、図２（ｄ）に示す段差部２の段差寸法ｈ４及び図２（ｅ）に示す段差部２の段差寸法ｈ５を、この順に徐々に小さい寸法とした例を示している。また、図例では、これら段差寸法ｈ１，ｈ２，ｈ３，ｈ４，ｈ５を徐々に小さくした寸法差を、厚さ調整部２０の１枚の分割片部２１の厚さ寸法に概ね応じた寸法とした例を示している。
【００３１】
図２（ａ）では、段差寸法ｈ１に応じて、厚さ調整部２０を最大限積層（４枚の分割片部２１，２１，２１，２１を積層）した状態で床見切材１を施工した状態を示している。
図２（ｂ）では、段差寸法ｈ２に応じて、厚さ調整部２０の１枚の分割片部（第４分割片部２１Ｄ）２１を除去し、残りの３枚の分割片部２１，２１，２１を積層した状態で床見切材１を施工した状態を示している。
図２（ｃ）では、段差寸法ｈ３に応じて、厚さ調整部２０の２枚の分割片部（第３分割片部２１Ｃ及び第４分割片部２１Ｄ）２１，２１を除去し、残りの２枚の分割片部２１，２１を積層した状態で床見切材１を施工した状態を示している。
図２（ｄ）では、段差寸法ｈ４に応じて、厚さ調整部２０の３枚の分割片部（第２分割片部２１Ｂ、第３分割片部２１Ｃ及び第４分割片部２１Ｄ）２１，２１，２１を除去し、厚さ調整部２０を１枚の分割片部２１とした状態で床見切材１を施工した状態を示している。
図２（ｅ）では、段差寸法ｈ５に応じて、厚さ調整部２０を見切本体部１０から除去した状態で床見切材１を施工した状態を示している。
【００３２】
上記のように床見切材１が施工された状態では、見切本体部１０の底面１３の少なくとも反対面部側端部１５が第１床面３に当接され、見切本体部１０の対面部１１の少なくとも上端部が段差部２の段壁面６に当接される。
また、本実施形態では、図２（ａ）に示すように、厚さ調整部２０を最大限積層した状態で床見切材１を施工した状態で、見切本体部１０の対面部１１の略全体及び積層状態とされた厚さ調整部２０の各分割片部２１，２１，２１，２１の対面部１１側の端面の略全体が段差部２の段壁面６に当接される。
また、図２（ａ）〜（ｄ）に示すように、見切本体部１０の底面１３側に厚さ調整部２０が残存する場合には、見切本体部１０の反対面部側端部１５及び厚さ調整部２０（分割片部２１）の第１床面３側の面が第１床面３に当接される。一方、図２（ｅ）に示すように、厚さ調整部２０を見切本体部１０から除去した場合には、見切本体部１０の底面１３の略全体が第１床面３に当接される。
【００３３】
なお、床見切材１は、固定止具や、粘着テープ等の粘着材、接着剤等によって第１床面３や段壁面６等に固定するようにしてもよい。
また、厚さ調整部２０の分割片部２１を他の分割片部２１から分離する態様としては、適宜の切断具等を用いて切断するようにしてもよく、また、連結部２２の態様等によっては、他の分割片部２１から引き剥がすようにして分離させる態様等としてもよい。
また、厚さ調整部２０を見切本体部１０から除去する態様も同様、適宜の切断具等を用いて切断するようにしてもよく、また、見切本体部１０との連結態様等によっては、見切本体部１０から引き剥がすようにして除去する態様等としてもよい。
【００３４】
上記構成とされた本実施形態に係る床見切材１によれば、厚さ調整を可能としながらも、見栄え及び施工時における厚さ調整の作業性を向上させることができる。
つまり、当該床見切材１は、幅方向一方側部が対面部１１とされ、幅方向一方側から幅方向他方側に向かうに従い下るように傾斜する傾斜上面１２を有した見切本体部１０を備えている。従って、床見切材１を第１床面３と第２床面５との段差部２に沿うように配設することで、傾斜上面１２によって、第１床面３と第２床面５とをなだらかに連ならせることができ、第１床面３と第２床面５との段差を緩和することができる。これにより、段差部２における躓き等を抑制することができ、また、車椅子やキャスター等の第１床面３側と第２床面５側との移動等をスムーズに行うこともできる。
【００３５】
また、当該床見切材１は、幅方向に複数に分割された分割片部２１を連結する連結部２２を折り畳み支点として積層状態に折り畳み可能とされた厚さ調整部２０を備えている。従って、この厚さ調整部２０を、積層状態に折り畳んだり、平板状に展開させたりすることによって当該床見切材１の厚さを調整することができる。つまり、厚さ調整部２０を調整することで、当該床見切材１を複数の異なる厚さにすることができる。これにより、上記したように第１床面３と第２床面５との段差に応じて比較的に容易に対応可能となる。
また、この厚さ調整部２０を、見切本体部１０の底面１３側に設けているので、例えば、傾斜上面１２側に破断部等が露出するようなものと比べて、傾斜上面１２側の見栄えを向上させることができる。
【００３６】
また、本実施形態では、厚さ調整部２０に、複数の連結部２２，２２，２２を幅方向に間隔を空けて設けている。従って、例えば、厚さ調整部２０に単一の連結部２２を設けた態様とした場合と比べて、より多層状に厚さ調整部２０を積層状態に折り畳むことができ、床見切材１の厚さ寸法をより複数段階に調整することができる。
また、連結部２２を、上記のような軟質部とした場合には、厚さ調整部２０を積層状態に容易に折り畳むことができ、また、分割片部２１の表裏面に段差等が生じるようなことを抑制することもできる。
【００３７】
また、本実施形態では、厚さ調整部２０の最大展開状態における幅寸法を、見切本体部１０の幅寸法よりも大きくしている。従って、例えば、厚さ調整部２０の最大展開状態における幅寸法を、見切本体部１０の幅寸法よりも小さくした場合と比べて、積層状態における厚さ調整部２０の幅寸法を効率的に大きくしながらも厚さ調整部２０に、より多くの連結部２２、つまりはより多くの枚数の分割片部２１を設けることができる。
また、本実施形態では、厚さ調整部２０を、複数の分割片部２１のそれぞれを分離可能とし、幅方向に分断可能としているので、上記のように厚さ調整部２０の最大展開状態における幅寸法を見切本体部１０の幅寸法よりも大きくしながらも不要な分割片部２１を除去することができる。
また、本実施形態では、厚さ調整部２０を見切本体部１０から除去可能としているので、例えば、厚さ調整部２０を見切本体部１０から除去不能とした場合と比べて、床見切材１の厚さ寸法の調整段階を多くすることができる。なお、このような態様に代えて、厚さ調整部２０を見切本体部１０から除去不能としてもよい。
【００３８】
また、本実施形態では、厚さ調整部２０の幅方向一方側端部（固定側端部）２３を見切本体部１０の底面１３の幅方向一方側縁部１４に沿って固定し、厚さ調整部２０を積層し、当該床見切材１を施工した状態において、見切本体部１０の幅方向他方側（反対面部側端部）１５が第１床面３に当接される構造としている。従って、例えば、厚さ調整部２０を積層し、床見切材１を施工した状態において、見切本体部１０の底面１３側の略全面に亘って厚さ調整部２０が存在するような態様とした場合と比べて、見切本体部１０の反対面部側端部１５の上面と第１床面３との段差を小さくすることができる。
【００３９】
また、本実施形態では、厚さ調整部２０を最大限積層し、床見切材１を施工した状態で、第１床面対面部間角度Ａ１が略直角以上となるように、底面対面部間角度Ａを鈍角としている。従って、厚さ調整部２０を最大限積層した状態においても、床見切材１を施工した状態では、見切本体部１０の対面部１１と第１床面３とのなす第１床面対面部間角度Ａ１が略直角以上となるので、床見切材１の対面部１１の上縁部を、段差部２の段壁面６に当接させることができる。つまり、例えば、見切本体部１０の対面部１１と底面１３とのなす第１床面対面部間角度Ａ１を直角等とした場合において、厚さ調整部２０を最大限積層し、見切本体部１０の幅方向他方側を第１床面３に当接させるように床見切材１を施工すれば、床見切材１の対面部１１の上縁部が段差部２の段壁面６に当接せず、床見切材１の対面部１１の上縁部と段差部２の段壁面６との間に隙間が生じることが考えられるが、本実施形態では、このような隙間の発生を抑制することができる。なお、このような態様に代えて、第１床面対面部間角度Ａ１が鋭角となるように、底面対面部間角度Ａを設定するようにしてもよい。また、底面対面部間角度Ａを直角または鋭角としてもよい。この場合は、例えば、厚さ調整部２０を積層し、床見切材１を施工した状態において、見切本体部１０の底面１３側の略全面に亘って厚さ調整部２０が設けられるものとしてもよい。
【００４０】
また、本実施形態では、見切本体部１０の傾斜上面１２の対面部１１側に平上面部を設けているので、例えば、見切本体部１０の対面部１１と傾斜上面１２との角部を角張った形状とした場合と比べて、当該部位を踏んだ際に生じる不快感を低減させることができる。
また、本実施形態では、見切本体部１０の平上面部と対面部１１との角部及び傾斜上面１２と底面１３との角部に、それぞれ面取り部を設けているので、見切本体部１０を踏んだ際の感触を比較的に良好にすることができる。なお、このような平上面部や、面取り部等を見切本体部１０に設けないようにしてもよい。
【００４１】
なお、本実施形態では、厚さ調整部２０を、幅方向一方側端部２３を見切本体部１０の底面１３の幅方向一方側縁部１４に沿って固定した例を示しているが、この態様に限定されず、厚さ調整部２０を、その幅方向一方側端部２３を見切本体部１０の底面１３の適宜部位に固定したり、厚さ調整部２０の幅方向一方側端部２３側の適宜部位を、見切本体部１０の底面１３の適宜部位に固定したりしてもよい。
また、本実施形態では、厚さ調整部２０を最大限展開された状態における幅寸法を見切本体部１０の幅寸法よりも大きくなるように形成した例を示しているが、このような態様に限られない。例えば、厚さ調整部２０の最大限展開状態における幅寸法を見切本体部１０の幅寸法よりも小さくしてもよい。
また、本実施形態では、厚さ調整部２０を、複数の分割片部２１のそれぞれを分離可能とし、幅方向に分断可能とした例を示しているが、このような態様に限られない。例えば、分割片部２１を分離不能としてもよい。この場合は、見切本体部１０の底面１３の幅寸法内で、複数の分割片部２１を展開したり、折り畳んだりすることで床見切材１の厚さ寸法を調整可能とした態様としてもよい。
また、本実施形態では、厚さ調整部２０に、複数の連結部２２を設けた例を示しているが、単一の連結部２２を設けた態様としてもよい。
また、本実施形態では、複数の分割片部２１をそれぞれ略同寸同形状とした例を示しているが、互いに異なる幅寸法や厚さ寸法とされた複数の分割片部２１としてもよい。
【符号の説明】
【００４２】
１        床見切材
１０      見切本体部
１１      対面部
１２      傾斜上面
１３      底面
１４      幅方向一方側縁部
１５      反対面部側端部（幅方向他方側の端部）
２０      厚さ調整部
２１      分割片部
２２      連結部
２３      固定側端部（幅方向一方側端部）
Ａ        底面対面部間角度（見切本体部の対面部と底面とのなす角度）
Ａ１      第１床面対面部間角度（厚さ調整部を最大限積層し、床見切材を施工した状態における見切本体部の対面部と第１床面とのなす角度）
２        段差部
３        第１床面
５        第２床面
６        段壁面
【図１】
2014095264.tif 000003
【図２】
2014095264.tif 000004
【図３】
2014095264.tif 000005